(57)【要約】【課題】ＫｅＮＢを保持していないリレーノードＲＮを介して通信中の移動局ＵＥのハンドオーバ処理を実現する。【解決手段】本発明に係る移動通信方法は、リレーノードＲＮが、無線基地局ＤｅＮＢ＃２に対して、「Ｘ２-ＡＰ（ＵＥ）：Ｈａｎｄｏｖｅｒ  Ｒｅｑｕｅｓｔ」を送信する工程と、無線基地局ＤｅＮＢ＃２が、無線基地局ＤｅＮＢ＃１から、Ｋ_ｅＮＢ＊及びＭＡＣを取得する工程と、無線基地局ＤｅＮＢ＃２が、取得したＫ_ｅＮＢ＊及びＭＡＣに基づいて、ＫｅＮＢを生成する工程と、無線基地局ＤｅＮＢ＃２が、生成したＫｅＮＢに基づいて、Ｋ_ＲＲＣｉｎｔとＫ_ＲＲＣｅｎｃとＫ_ＵＰｅｎｃとを生成する工程とを有する。【選択図】図４
2011015317.tif 000002
【特許請求の範囲】
【請求項１】
移動局が、第１無線基地局に接続されているリレーノードから第２無線基地局にハンドオーバする移動通信方法であって、
前記リレーノードが、前記第２無線基地局に対して、ハンドオーバ要求信号を送信する工程と、
前記第２無線基地局が、前記第１無線基地局から、第１パラメータ及び第２パラメータを取得する工程と、
前記第２無線基地局が、取得した前記第１パラメータ及び前記第２パラメータに基づいて、親鍵を生成する工程と、
前記第２無線基地局が、生成した前記親鍵に基づいて、制御信号のインテグリティ検査用鍵と制御信号の暗号化用鍵とデータ信号の暗号化用鍵とを生成する工程とを有することを特徴とする移動通信方法。
【請求項２】
移動局が、無線基地局に接続されている第１リレーノードから第２リレーノードにハンドオーバする移動通信方法であって、
前記第１リレーノードが、前記第２リレーノードに対して、ハンドオーバ要求信号を送信する工程と、
前記第２リレーノードが、前記無線基地局に対して、セキュリティ情報要求信号を送信する工程と、
前記無線基地局が、前記セキュリティ情報要求信号に応じて、第１パラメータ及び第２パラメータに基づいて、親鍵を生成する工程と、
前記無線基地局が、生成した前記親鍵に基づいて、制御信号のインテグリティ検査用鍵と制御信号の暗号化用鍵とデータ信号の暗号化用鍵とを生成する工程と、
前記無線基地局が、前記第２リレーノードに対して、生成した前記制御信号のインテグリティ検査用鍵及び制御信号の暗号化用鍵のみを通知する工程とを有することを特徴とする移動通信方法。
【請求項３】
移動局が、第１無線基地局に接続されているリレーノードから第２無線基地局にハンドオーバする移動通信方法であって、
前記リレーノードが、前記第１無線基地局に対して、ハンドオーバ要求信号を送信する工程と、
前記第１無線基地局が、前記ハンドオーバ要求信号に第１パラメータ及び第２パラメータを含めて前記第２無線基地局に送信する工程と、
前記第２無線基地局が、前記ハンドオーバ要求信号に含まれている前記第１パラメータ及び前記第２パラメータに基づいて、親鍵を生成する工程と、
前記第２無線基地局が、生成した前記親鍵に基づいて、制御信号のインテグリティ検査用鍵と制御信号の暗号化用鍵とデータ信号の暗号化用鍵とを生成する工程とを有することを特徴とする移動通信方法。
【請求項４】
移動局が、無線基地局に接続されている第１リレーノードから第２リレーノードにハンドオーバする移動通信方法であって、
前記第１リレーノードが、前記無線基地局に対して、ハンドオーバ要求信号を送信する工程と、
前記無線基地局が、前記ハンドオーバ要求信号に応じて、第１パラメータ及び第２パラメータに基づいて、親鍵を生成する工程と、
前記無線基地局が、生成した前記親鍵に基づいて、制御信号のインテグリティ検査用鍵と制御信号の暗号化用鍵とデータ信号の暗号化用鍵とを生成する工程と、
前記無線基地局が、前記第２リレーノードに対して、生成した前記制御信号のインテグリティ検査用鍵及び前記制御信号の暗号化用鍵のみを通知する工程とを有することを特徴とする移動通信方法。
【請求項５】
移動局が、第１無線基地局に接続されているリレーノードから第２無線基地局にハンドオーバするハンドオーバ方法において、該第２無線基地局として動作する無線基地局であって、
前記リレーノードから、ハンドオーバ要求信号を受信するように構成されている機能と、
受信した前記ハンドオーバ要求信号に応じて、前記第１無線基地局から、第１パラメータ及び第２パラメータを取得するように構成されている機能と、
取得された前記第１パラメータ及び前記第２パラメータに基づいて、親鍵を生成するように構成されている機能と、
生成された前記親鍵に基づいて、制御信号のインテグリティ検査用鍵と制御信号の暗号化用鍵とデータ信号の暗号化用鍵とを生成するように構成されている機能とを具備することを特徴とする無線基地局。
【請求項６】
移動局が、無線基地局に接続されている第１リレーノードから第２リレーノードにハンドオーバするハンドオーバ方法において、該無線基地局として動作する無線基地局であって、
前記第１リレーノードからハンドオーバ要求信号を受信した前記第２リレーノードから、セキュリティ情報要求信号を受信するように構成されている機能と、
受信された前記セキュリティ情報要求信号に応じて、第１パラメータ及び第２パラメータに基づいて、親鍵を生成するように構成されている機能と、
生成された前記親鍵に基づいて、制御信号のインテグリティ検査用鍵と制御信号の暗号化用鍵とデータ信号の暗号化用鍵とを生成するように構成されている機能と、
前記第２リレーノードに対して、生成した前記制御信号のインテグリティ検査用鍵及び制御信号の暗号化用鍵のみを通知するように構成されている機能とを具備することを特徴とする無線基地局。
【請求項７】
移動局が、第１無線基地局に接続されているリレーノードから第２無線基地局にハンドオーバするハンドオーバ方法において、該第２無線基地局として動作する無線基地局であって、
前記リレーノードからハンドオーバ要求信号を受信した前記第１無線基地局から、該ハンドオーバ要求信号を受信するように構成されている機能と、
受信された前記ハンドオーバ要求信号に含まれている第１パラメータ及び第２パラメータに基づいて、親鍵を生成するように構成されている機能と、
生成された前記親鍵に基づいて、制御信号のインテグリティ検査用鍵と制御信号の暗号化用鍵とデータ信号の暗号化用鍵とを生成するように構成されている機能とを具備することを特徴とする無線基地局。
【請求項８】
移動局が、無線基地局に接続されている第１リレーノードから第２リレーノードにハンドオーバするハンドオーバ方法において、該無線基地局として動作する無線基地局であって、
前記第１リレーノードから、ハンドオーバ要求信号を受信するように構成されている機能と、
受信された前記ハンドオーバ要求信号に応じて、第１パラメータ及び第２パラメータに基づいて、親鍵を生成するように構成されている機能と、
生成された前記親鍵に基づいて、制御信号のインテグリティ検査用鍵と制御信号の暗号化用鍵とデータ信号の暗号化用鍵とを生成するように構成されている機能と、
前記第２リレーノードに対して、生成された前記制御信号のインテグリティ検査用鍵及び前記制御信号の暗号化用鍵のみを通知するように構成されている機能とを具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥと交換局ＭＭＥ（Ｍｏｂｉｌｉｔｙ  Ｍａｎａｇｅｍｅｎｔ  Ｅｎｔｉｔｙ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢと交換局ＭＭＥとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
現在のＬＴＥ-Ａｄｖａｎｃｅｄ方式の移動通信システムでは、無線基地局ＤｅＮＢは、移動局ＵＥのセキュリティに関する鍵であるＫｅＮＢを保持するように構成されている。
【０００６】
しかしながら、リレーノードＲＮは、無線基地局ＤｅＮＢとは異なり、セキュアなノードではない、すなわち、リレーノードＲＮの設置場所は、無線基地局ＤｅＮＢの設置場所（通信事業者の局所内等）と違って、使用するシナリオによって様々な場所（電柱上や家の外壁等）が想定される。
【０００７】
したがって、移動局ＵＥのセキュリティに関する鍵であるＫｅＮＢをリレーノードＲＮに保持させることは好ましくない。
【０００８】
なお、かかるＫｅＮＢをリレーノードＲＮに保持させるためには、リレーノードＲＮ内に、ハードウェア及びソフトウェアによってセキュアな環境を実現する必要があり、機器コストが上昇してしまう。
【０００９】
このような状況において、リレーノードＲＮを介して通信中の移動局ＵＥのハンドオーバ処理において、どのように、ハンドオーバ先の無線基地局ＤｅＮＢ又はリレーノードに対して、各種セキュリティ情報を通知すべきかについて、現在のＬＴＥ-Ａｄｖａｎｃｅｄ方式の移動通信システムでは検討されていない。
【００１０】
そこで、本発明は、上述の課題に鑑みてなされたものであり、ＫｅＮＢを保持していないリレーノードＲＮを介して通信中の移動局ＵＥのハンドオーバ処理を実現することができる移動通信方法及び無線基地局を提供することを目的とする。
【課題を解決するための手段】
【００１１】
本発明の第１の特徴は、移動通信方法であって、移動局が、第１無線基地局に接続されているリレーノードから第２無線基地局にハンドオーバするハンドオーバ方法であって、前記リレーノードが、前記第２無線基地局に対して、ハンドオーバ要求信号を送信する工程と、前記第２無線基地局が、前記第１無線基地局から、第１パラメータ及び第２パラメータを取得する工程と、前記第２無線基地局が、取得した前記第１パラメータ及び前記第２パラメータに基づいて、親鍵を生成する工程と、前記第２無線基地局が、生成した前記親鍵に基づいて、制御信号のインテグリティ検査用鍵と制御信号の暗号化用鍵とデータ信号の暗号化用鍵とを生成する工程とを有することを要旨とする。
【００１２】
本発明の第２の特徴は、移動通信方法であって、移動局が、無線基地局に接続されている第１リレーノードから第２リレーノードにハンドオーバするハンドオーバ方法であって、前記第１リレーノードが、前記第２リレーノードに対して、ハンドオーバ要求信号を送信する工程と、前記第２リレーノードが、前記無線基地局に対して、セキュリティ情報要求信号を送信する工程と、前記無線基地局が、前記セキュリティ情報要求信号に応じて、第１パラメータ及び第２パラメータに基づいて、親鍵を生成する工程と、前記無線基地局が、生成した前記親鍵に基づいて、制御信号のインテグリティ検査用鍵と制御信号の暗号化用鍵とデータ信号の暗号化用鍵とを生成する工程と、前記無線基地局が、前記第２リレーノードに対して、生成した前記制御信号のインテグリティ検査用鍵及び制御信号の暗号化用鍵のみを通知する工程とを有することを要旨とする。
【００１３】
本発明の第３の特徴は、移動通信方法であって、移動局が、第１無線基地局に接続されているリレーノードから第２無線基地局にハンドオーバするハンドオーバ方法であって、前記リレーノードが、前記第１無線基地局に対して、ハンドオーバ要求信号を送信する工程と、前記第１無線基地局が、前記ハンドオーバ要求信号に第１パラメータ及び第２パラメータを含めて前記第２無線基地局に送信する工程と、前記第２無線基地局が、前記ハンドオーバ要求信号に含まれている前記第１パラメータ及び前記第２パラメータに基づいて、親鍵を生成する工程と、前記第２無線基地局が、生成した前記親鍵に基づいて、制御信号のインテグリティ検査用鍵と制御信号の暗号化用鍵とデータ信号の暗号化用鍵とを生成する工程とを有することを要旨とする。
【００１４】
本発明の第４の特徴は、移動通信方法であって、移動局が、無線基地局に接続されている第１リレーノードから第２リレーノードにハンドオーバするハンドオーバ方法であって、前記第１リレーノードが、前記無線基地局に対して、ハンドオーバ要求信号を送信する工程と、前記無線基地局が、前記ハンドオーバ要求信号に応じて、第１パラメータ及び第２パラメータに基づいて、親鍵を生成する工程と、前記無線基地局が、生成した前記親鍵に基づいて、制御信号のインテグリティ検査用鍵と制御信号の暗号化用鍵とデータ信号の暗号化用鍵とを生成する工程と、前記無線基地局が、前記第２リレーノードに対して、生成した前記制御信号のインテグリティ検査用鍵及び前記制御信号の暗号化用鍵のみを通知する工程とを有することを要旨とする。
【００１５】
本発明の第５の特徴は、移動局が、第１無線基地局に接続されているリレーノードから第２無線基地局にハンドオーバするハンドオーバ方法において、該第２無線基地局として動作する無線基地局であって、前記リレーノードから、ハンドオーバ要求信号を受信するように構成されている機能と、受信した前記ハンドオーバ要求信号に応じて、前記第１無線基地局から、第１パラメータ及び第２パラメータを取得するように構成されている機能と、取得された前記第１パラメータ及び前記第２パラメータに基づいて、親鍵を生成するように構成されている機能と、生成された前記親鍵に基づいて、制御信号のインテグリティ検査用鍵と制御信号の暗号化用鍵とデータ信号の暗号化用鍵とを生成するように構成されている機能とを具備することを要旨とする。
【００１６】
本発明の第６の特徴は、移動局が、無線基地局に接続されている第１リレーノードから第２リレーノードにハンドオーバするハンドオーバ方法において、該無線基地局として動作する無線基地局であって、前記第１リレーノードからハンドオーバ要求信号を受信した前記第２リレーノードから、セキュリティ情報要求信号を受信するように構成されている機能と、受信された前記セキュリティ情報要求信号に応じて、第１パラメータ及び第２パラメータに基づいて、親鍵を生成するように構成されている機能と、生成された前記親鍵に基づいて、制御信号のインテグリティ検査用鍵と制御信号の暗号化用鍵とデータ信号の暗号化用鍵とを生成するように構成されている機能と、前記第２リレーノードに対して、生成した前記制御信号のインテグリティ検査用鍵及び制御信号の暗号化用鍵のみを通知するように構成されている機能とを具備することを要旨とする。
【００１７】
本発明の第７の特徴は、移動局が、第１無線基地局に接続されているリレーノードから第２無線基地局にハンドオーバするハンドオーバ方法において、該第２無線基地局として動作する無線基地局であって、前記リレーノードからハンドオーバ要求信号を受信した前記第１無線基地局から、該ハンドオーバ要求信号を受信するように構成されている機能と、受信された前記ハンドオーバ要求信号に含まれている第１パラメータ及び第２パラメータに基づいて、親鍵を生成するように構成されている機能と、生成された前記親鍵に基づいて、制御信号のインテグリティ検査用鍵と制御信号の暗号化用鍵とデータ信号の暗号化用鍵とを生成するように構成されている機能とを具備することを要旨とする。
【００１８】
本発明の第８の特徴は、移動局が、無線基地局に接続されている第１リレーノードから第２リレーノードにハンドオーバするハンドオーバ方法において、該無線基地局として動作する無線基地局であって、前記第１リレーノードから、ハンドオーバ要求信号を受信するように構成されている機能と、受信された前記ハンドオーバ要求信号に応じて、第１パラメータ及び第２パラメータに基づいて、親鍵を生成するように構成されている機能と、生成された前記親鍵に基づいて、制御信号のインテグリティ検査用鍵と制御信号の暗号化用鍵とデータ信号の暗号化用鍵とを生成するように構成されている機能と、前記第２リレーノードに対して、生成された前記制御信号のインテグリティ検査用鍵及び前記制御信号の暗号化用鍵のみを通知するように構成されている機能とを具備することを要旨とする。
【発明の効果】
【００１９】
以上説明したように、本発明によれば、ＫｅＮＢを保持していないリレーノードＲＮを介して通信中の移動局ＵＥのハンドオーバ処理を実現することができる移動通信方法及び無線基地局を提供することができる。
【図面の簡単な説明】
【００２０】
【図１】本発明の第１の実施形態に係る移動通信システムの全体構成図である。
【図２】本発明の第１の実施形態に係る移動通信システムの全体構成図である。
【図３】本発明の第１の実施形態に係る移動通信システムのプロトコルスタック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第２の実施形態に係る移動通信システムのプロトコルスタック図である。
【図７】本発明の第２の実施形態に係る移動通信システムの動作を示すシーケンス図である。
【図８】本発明の第２の実施形態に係る移動通信システムの動作を示すシーケンス図である。
【図９】本発明の第３の実施形態に係る移動通信システムのプロトコルスタック図である。
【図１０】本発明の第３の実施形態に係る移動通信システムの動作を示すシーケンス図である。
【図１１】本発明の第３の実施形態に係る移動通信システムの動作を示すシーケンス図である。
【図１２】本発明の第４の実施形態に係る移動通信システムのプロトコルスタック図である。
【図１３】本発明の第４の実施形態に係る移動通信システムの動作を示すシーケンス図である。
【図１４】本発明の第４の実施形態に係る移動通信システムの動作を示すシーケンス図である。
【発明を実施するための形態】
【００２１】
（本発明の第１の実施形態に係る移動通信システム）
図１乃至図５を参照して、本発明の第１の実施形態に係る移動通信システムについて説明する。
【００２２】
本実施形態に係る移動通信システムは、ＬＴＥ-Ａｄｖａｎｃｅｄ方式の移動通信システムであって、移動局ＵＥや、リレーノードＲＮや、無線基地局ＤｅＮＢや、リレーノードＲＮ用のゲートウェイ装置ＳＧＷ（Ｓｅｒｖｉｎｇ  Ｇａｔｅｗａｙ）/ＰＧＷ（ＰＤＮ  Ｇａｔｅｗａｙ）や、交換局ＭＭＥ等を具備している。
【００２３】
以下、本実施形態では、移動局ＵＥが、無線基地局ＤｅＮＢ＃１（第１無線基地局）に接続されているリレーノードＲＮから無線基地局ＤｅＮＢ＃２（第２無線基地局）にハンドオーバするケース１（図１参照）と、移動局ＵＥが、無線基地局ＤｅＮＢに接続されているリレーノードＲＮ＃１（第１リレーノード）からリレーノードＲＮ＃２（第２リレーノード）にハンドオーバするケース２（図２参照）とについて説明する。
【００２４】
図３に、本実施形態に係る移動通信システムにおけるプロトコルスタックを示す。
【００２５】
図３に示すように、移動局ＵＥは、物理レイヤ（Ｌ１）機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能と、ＮＡＳレイヤ機能とを具備している。
【００２６】
リレーノードＲＮは、Ｕｕインターフェイスの機能として、物理レイヤ（Ｌ１）機能と、ＭＡＣレイヤ機能と、ＲＬＣレイヤ機能と、ＰＤＣＰレイヤ機能と、ＲＲＣ機能とを具備している。
【００２７】
また、リレーノードＲＮは、Ｕｎインターフェイスの機能として、物理レイヤ（Ｌ１）機能と、ＭＡＣレイヤ機能と、ＲＬＣレイヤ機能と、ＰＤＣＰレイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１-ＡＰレイヤ機能とを具備している。
【００２８】
無線基地局ＤｅＮＢは、Ｕｎインターフェイスの機能として、物理レイヤ（Ｌ１）機能と、ＭＡＣレイヤ機能と、ＲＬＣレイヤ機能と、ＰＤＣＰレイヤ機能とを具備している。
【００２９】
また、無線基地局ＤｅＮＢは、リレーノードＲＮ用のゲートウェイ装置ＳＧＷ/ＰＧＷ側の機能として、物理レイヤ（Ｌ１）機能と、Ｌ２機能と、ＵＤＰ（Ｕｓｅｒ  Ｄａｔａｇｒａｍ  Ｐｒｏｔｏｃｏｌ）/ＩＰレイヤ機能と、ＧＴＰ-Ｕ（ＧＰＲＳ  Ｔｕｎｎｅｌｉｎｇ  Ｐｒｏｔｏｃｏｌ-Ｕ  ｐｌａｎｅ）レイヤ機能とを具備している。
【００３０】
リレーノードＲＮ用のゲートウェイ装置ＳＧＷ/ＰＧＷは、無線基地局ＤｅＮＢ側の機能として、物理レイヤ（Ｌ１）機能と、Ｌ２機能と、ＵＤＰ/ＩＰレイヤ機能と、ＧＴＰ-Ｕレイヤ機能と、ＩＰレイヤ機能とを具備している。
【００３１】
また、リレーノードＲＮ用のゲートウェイ装置ＳＧＷ/ＰＧＷは、交換局ＭＭＥ側の機能として、物理レイヤ（Ｌ１）機能と、Ｌ２機能と、ＩＰレイヤ機能と、ＳＣＴＰレイヤ機能と、Ｓ１-ＡＰレイヤ機能と、ＮＡＳレイヤ機能とを具備している。
【００３２】
ここで、Ｓ１-ＡＰは、リレーノードＲＮのＳ１-ＡＰレイヤ機能と交換局ＭＭＥのＳ１-ＡＰレイヤ機能との間で終端するように構成されている。
【００３３】
また、ＰＤＣＰ（ＲＲＣ）は、リレーノードＲＮのＰＤＣＰレイヤ機能と無線基地局ＤｅＮＢのＰＤＣＰレイヤ機能との間で終端するように構成されている。
【００３４】
なお、本実施形態に係る移動通信システムでは、無線基地局ＤｅＮＢが、Ｕプレーン（データ信号）用のセキュリティ情報（ＵＥ  ＡＳ  Ｓｅｃｕｒｉｔｙ  Ｃｏｎｔｅｘｔ）についての管理を行い、リレーノードＲＮが、Ｃプレーン（制御信号）用のセキュリティ情報（ＵＥ  ＡＳ  Ｓｅｃｕｒｉｔｙ  Ｃｏｎｔｅｘｔ）についての管理を行うように構成されている。
【００３５】
以下、図４及び図５を参照して、本実施形態に係る移動通信システムにおける移動局ＵＥのハンドオーバ方法について説明する。
【００３６】
第１に、図４を参照して、上述のケース１における本実施形態に係る移動通信システムの動作について説明する。
【００３７】
図４に示すように、ステップＳ１００１において、移動局ＵＥは、所定条件が満たされた場合に、リレーノードＲＮに対して、「ＲＲＣ（ＵＥ）：Ｍｅａｓｕｒｅｍｅｎｔ  ｒｅｐｏｒｔ（測定報告）」を送信する。
【００３８】
リレーノードＲＮは、移動局ＵＥを無線基地局ＤｅＮＢ＃２にハンドオーバさせることを決定した場合、ステップＳ１００２において、無線基地局ＤｅＮＢ＃１及びリレーノードＲＮ用のゲートウェイ装置ＳＧＷ/ＰＧＷを経由して、無線基地局ＤｅＮＢ＃２に対して、「Ｘ２-ＡＰ（ＵＥ）：Ｈａｎｄｏｖｅｒ  Ｒｅｑｕｅｓｔ（ハンドオーバ要求信号）」を送信する。
【００３９】
ここで、無線基地局ＤｅＮＢ＃１は、かかる「Ｘ２-ＡＰ（ＵＥ）：Ｈａｎｄｏｖｅｒ  Ｒｅｑｕｅｓｔ」を認識することができない。
【００４０】
ステップＳ１００３において、無線基地局ＤｅＮＢ＃２は、受信した「Ｘ２-ＡＰ（ＵＥ）：Ｈａｎｄｏｖｅｒ  Ｒｅｑｕｅｓｔ」に応じて、無線基地局ＤｅＮＢ＃１に対して、「Ｘ２-ＡＰ（ＵＥ）：Ｓｅｃｕｒｉｔｙ  Ｃｏｎｔｅｘｔ  Ｒｅｑｕｅｓｔ（セキュリティ情報要求信号）」を送信する。
【００４１】
無線基地局ＤｅＮＢ＃１は、ステップＳ１００４において、受信した「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊（第１パラメータ）及びＭＡＣ（第２パラメータ）を抽出し、ステップＳ１００５において、無線基地局ＤｅＮＢ＃２に対して、抽出したＫ_ｅＮＢ＊及びＭＡＣを含む「Ｘ２-ＡＰ（ＵＥ）：Ｓｅｃｕｒｉｔｙ  Ｃｏｎｔｅｘｔ  Ｒｅｓｐｏｎｓｅ（セキュリティ情報応答信号）」を送信する。
【００４２】
ステップＳ１００６において、無線基地局ＤｅＮＢ＃２は、「Ｘ２-ＡＰ（ＵＥ）：Ｓｅｃｕｒｉｔｙ  Ｃｏｎｔｅｘｔ  Ｒｅｓｐｏｎｓｅ」に含まれるＫ_ｅＮＢ＊及びＭＡＣに基づいて、ＫｅＮＢ（親鍵）を生成し、かかるＫｅＮＢに基づいて、Ｋ_ＲＲＣｉｎｔとＫ_ＲＲＣｅｎｃとＫ_ＵＰｅｎｃとを生成して保持する。
【００４３】
ここで、ＫｅＮＢは、Ｋ_ＡＳＭＥを用いて生成され、Ｋ_ＲＲＣｉｎｔやＫ_ＲＲＣｅｎｃやＫ_ＵＰｅｎｃ等を生成するために用いられる親鍵である。
【００４４】
Ｋ_ＲＲＣｉｎｔは、Ｃプレーン（制御信号）のインテグリティ検査用鍵（ＡＳレイヤ）であり、Ｋ_ＲＲＣｅｎｃは、Ｃプレーン（制御信号）の暗号化用鍵（ＡＳレイヤ）であり、Ｋ_ＵＰｅｎｃは、Ｕプレーン（データ信号）の暗号化用鍵である。
【００４５】
ステップＳ１００７において、無線基地局ＤｅＮＢ＃２は、リレーノードＲＮ用のゲートウェイ装置ＳＧＷ/ＰＧＷ及び無線基地局ＤｅＮＢ＃１を経由して、リレーノードＲＮに対して、「Ｘ２-ＡＰ（ＵＥ）：Ｈａｎｄｏｖｅｒ  Ｒｅｑｕｅｓｔ  Ａｃｋ」を送信する。
【００４６】
ここで、無線基地局ＤｅＮＢ＃１は、かかる「Ｘ２-ＡＰ（ＵＥ）：Ｈａｎｄｏｖｅｒ  Ｒｅｑｕｅｓｔ  Ａｃｋ」を認識することができない。
【００４７】
ステップＳ１００８において、リレーノードＲＮは、移動局ＵＥに対して、「ＲＲＣ（ＵＥ）：Ｈａｎｄｏｖｅｒ  Ｃｏｍｍａｎｄ（ハンドオーバ指示信号）」を送信する。
【００４８】
ステップＳ１００９において、移動局ＵＥは、無線基地局ＤｅＮＢ＃２に対して、「ＲＲＣ（ＵＥ）：Ｈａｎｄｏｖｅｒ  Ｃｏｍｐｌｅｔｅ（ハンドオーバ完了信号）」を送信する。
【００４９】
ステップＳ１０１０において、無線基地局ＤｅＮＢ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮではなく無線基地局ＤｅＮＢ＃２に転送されるようになる。
【００５０】
ステップＳ１０１１において、無線基地局ＤｅＮＢ＃２は、リレーノードＲＮ用のゲートウェイ装置ＳＧＷ/ＰＧＷ及び無線基地局ＤｅＮＢ＃１を経由して、リレーノードＲＮに対して、「Ｘ２-ＡＰ（ＵＥ）：ＵＥ  Ｃｏｎｔｅｘｔ  ｒｅｌｅａｓｅ」を送信する。
【００５１】
第２に、図５を参照して、上述のケース２における本実施形態に係る移動通信システムの動作について説明する。
【００５２】
図５に示すように、ステップＳ１００１Ａにおいて、移動局ＵＥは、所定条件が満たされた場合に、リレーノードＲＮ＃１に対して、「ＲＲＣ（ＵＥ）：Ｍｅａｓｕｒｅｍｅｎｔ  ｒｅｐｏｒｔ」を送信する。
【００５３】
リレーノードＲＮ＃１は、移動局ＵＥをリレーノードＲＮ＃２にハンドオーバさせることを決定した場合、ステップＳ１００２Ａにおいて、無線基地局ＤｅＮＢ及びリレーノードＲＮ用のゲートウェイ装置ＳＧＷ/ＰＧＷを経由して、リレーノードＲＮ＃２に対して、「Ｘ２-ＡＰ（ＵＥ）：Ｈａｎｄｏｖｅｒ  Ｒｅｑｕｅｓｔ」を送信する。
【００５４】
ここで、無線基地局ＤｅＮＢは、かかる「Ｘ２-ＡＰ（ＵＥ）：Ｈａｎｄｏｖｅｒ  Ｒｅｑｕｅｓｔ」を認識することができない。
【００５５】
ステップＳ１００３Ａにおいて、リレーノードＲＮ＃２は、受信した「Ｘ２-ＡＰ（ＵＥ）：Ｈａｎｄｏｖｅｒ  Ｒｅｑｕｅｓｔ」に応じて、無線基地局ＤｅＮＢに対して、「Ｘ２-ＡＰ（ＵＥ）：Ｓｅｃｕｒｉｔｙ  Ｃｏｎｔｅｘｔ  Ｒｅｑｕｅｓｔ」を送信する。
【００５６】
無線基地局ＤｅＮＢは、ステップＳ１００４Ａにおいて、受信した「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊及びＭＡＣを抽出し、かかるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成する。
【００５７】
ステップＳ１００５Ａにおいて、無線基地局ＤｅＮＢは、リレーノードＲＮ＃２に対して、生成したＫ_ＲＲＣｉｎｔ及びＫ_ＲＲＣｅｎｃを含み、生成したＫ_ＵＰｅｎｃを含まない「Ｘ２-ＡＰ（ＵＥ）：Ｓｅｃｕｒｉｔｙ  Ｃｏｎｔｅｘｔ  Ｒｅｓｐｏｎｓｅ」を送信する。
【００５８】
ステップＳ１００６Ａにおいて、リレーノードＲＮ＃２は、「Ｘ２-ＡＰ（ＵＥ）：Ｓｅｃｕｒｉｔｙ  Ｃｏｎｔｅｘｔ  Ｒｅｓｐｏｎｓｅ」に含まれるＫ_ＲＲＣｉｎｔ及びＫ_ＲＲＣｅｎｃを保持する。
【００５９】
ステップＳ１００７Ａにおいて、リレーノードＲＮ＃２は、リレーノードＲＮ用のゲートウェイ装置ＳＧＷ/ＰＧＷ及び無線基地局ＤｅＮＢを経由して、リレーノードＲＮ＃１に対して、「Ｘ２-ＡＰ（ＵＥ）：Ｈａｎｄｏｖｅｒ  Ｒｅｑｕｅｓｔ  Ａｃｋ」を送信する。
【００６０】
ここで、無線基地局ＤｅＮＢは、かかる「Ｘ２-ＡＰ（ＵＥ）：Ｈａｎｄｏｖｅｒ  Ｒｅｑｕｅｓｔ  Ａｃｋ」を認識することができない。
【００６１】
ステップＳ１００８Ａにおいて、リレーノードＲＮ＃１は、移動局ＵＥに対して、「ＲＲＣ（ＵＥ）：Ｈａｎｄｏｖｅｒ  Ｃｏｍｍａｎｄ」を送信する。
【００６２】
ステップＳ１００９Ａにおいて、移動局ＵＥは、リレーノードＲＮ＃２に対して、「ＲＲＣ（ＵＥ）：Ｈａｎｄｏｖｅｒ  Ｃｏｍｐｌｅｔｅ」を送信する。
【００６３】
ステップＳ１０１０Ａにおいて、リレーノードＲＮ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮ＃１ではなくリレーノードＲＮ＃２に転送されるようになる。
【００６４】
ステップＳ１０１１Ａにおいて、リレーノードＲＮ＃２は、リレーノードＲＮ用のゲートウェイ装置ＳＧＷ/ＰＧＷ及び無線基地局ＤｅＮＢ＃１を経由して、リレーノードＲＮ＃１に対して、「Ｘ２-ＡＰ（ＵＥ）：ＵＥ  Ｃｏｎｔｅｘｔ  ｒｅｌｅａｓｅ」を送信する。
【００６５】
本発明の第１の実施形態に係る移動通信システムによれば、移動局ＵＥのハンドオーバ処理において、無線基地局ＤｅＮＢ＃２が、無線基地局ＤｅＮＢ＃２からの「Ｘ２-ＡＰ（ＵＥ）：Ｓｅｃｕｒｉｔｙ  Ｃｏｎｔｅｘｔ  Ｒｅｑｕｅｓｔ」に応じて、無線基地局ＤｅＮＢ＃２に対して、セキュリティ情報（Ｋ_ｅＮＢ＊及びＭＡＣ、或いは、Ｋ_ＲＲＣｉｎｔ及びＫ_ＲＲＣｅｎｃ）を通知することができるため、ＫｅＮＢを保持していないリレーノードＲＮを介して通信中の移動局ＵＥのハンドオーバ処理を実現することができる。
【００６６】
以上に述べた本実施形態の特徴は、以下のように表現されていてもよい。
【００６７】
本実施形態の第１の特徴は、移動通信方法であって、移動局ＵＥが、無線基地局ＤｅＮＢ＃１（第１無線基地局）に接続されているリレーノードＲＮから無線基地局ＤｅＮＢ＃２（第２無線基地局）にハンドオーバするハンドオーバ方法であって、リレーノードＲＮが、無線基地局ＤｅＮＢ＃２に対して、「Ｘ２-ＡＰ（ＵＥ）：Ｈａｎｄｏｖｅｒ  Ｒｅｑｕｅｓｔ（ハンドオーバ要求信号）」を送信する工程と、無線基地局ＤｅＮＢ＃２が、無線基地局ＤｅＮＢ＃１から、Ｋ_ｅＮＢ＊（第１パラメータ）及びＭＡＣ（第２パラメータ）を取得する工程と、無線基地局ＤｅＮＢ＃２が、取得したＫ_ｅＮＢ＊及びＭＡＣに基づいて、ＫｅＮＢ（親鍵）を生成する工程と、無線基地局ＤｅＮＢ＃２が、生成したＫｅＮＢに基づいて、Ｋ_ＲＲＣｉｎｔ（制御信号のインテグリティ検査用鍵）とＫ_ＲＲＣｅｎｃ（制御信号の暗号化用鍵）とＫ_ＵＰｅｎｃ（データ信号の暗号化用鍵）とを生成する工程とを有することを要旨とする。
【００６８】
本実施形態の第２の特徴は、移動通信方法であって、移動局ＵＥが、無線基地局ＤｅＮＢに接続されているリレーノードＲＮ＃１（第１リレーノード）からリレーノードＲＮ＃２（第２リレーノード）にハンドオーバするハンドオーバ方法であって、リレーノードＲＮ＃１が、リレーノードＲＮ＃２に対して、「Ｘ２-ＡＰ（ＵＥ）：Ｈａｎｄｏｖｅｒ  Ｒｅｑｕｅｓｔ」を送信する工程と、リレーノードＲＮ＃２が、無線基地局ＤｅＮＢに対して、「Ｘ２-ＡＰ（ＵＥ）：Ｓｅｃｕｒｉｔｙ  Ｃｏｎｔｅｘｔ  Ｒｅｑｕｅｓｔ（セキュリティ情報要求信号）」を送信する工程と、無線基地局ＤｅＮＢが、「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊及びＭＡＣに基づいて、ＫｅＮＢを生成する工程と、無線基地局ＤｅＮＢが、生成したＫｅＮＢに基づいて、Ｋ_ＲＲＣｉｎｔとＫ_ＲＲＣｅｎｃとＫ_ＵＰｅｎｃとを生成する工程と、無線基地局ＤｅＮＢが、リレーノードＲＮ＃２に対して、生成したＫ_ＲＲＣｉｎｔ及びＫ_ＲＲＣｅｎｃのみを通知する工程とを有することを要旨とする。
【００６９】
本実施形態の第３の特徴は、移動局ＵＥが、無線基地局ＤｅＮＢ＃１に接続されているリレーノードＲＮから無線基地局ＤｅＮＢ＃２にハンドオーバするハンドオーバ方法において、無線基地局ＤｅＮＢ＃２として動作する無線基地局ＤｅＮＢであって、リレーノードＲＮから、リレーノードＲＮ用のゲートウェイ装置ＳＧＷ/ＰＧＷを経由して、「Ｘ２-ＡＰ（ＵＥ）：Ｈａｎｄｏｖｅｒ  Ｒｅｑｕｅｓｔ」を受信するように構成されている機能と、受信した「Ｘ２-ＡＰ（ＵＥ）：Ｈａｎｄｏｖｅｒ  Ｒｅｑｕｅｓｔ」に応じて、無線基地局ＤｅＮＢ＃１から、Ｋ_ｅＮＢ＊及びＭＡＣを取得するように構成されている機能と、取得されたＫ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能とを具備することを要旨とする。
【００７０】
本実施形態の第４の特徴は、移動局ＵＥが、無線基地局ＤｅＮＢに接続されているリレーノードＲＮ＃１からリレーノードＲＮ＃２にハンドオーバするハンドオーバ方法における無線基地局ＤｅＮＢであって、リレーノードＲＮ＃１からリレーノードＲＮ＃１用のゲートウェイ装置ＳＧＷ/ＰＧＷを経由して「Ｘ２-ＡＰ（ＵＥ）：Ｈａｎｄｏｖｅｒ  Ｒｅｑｕｅｓｔ」を受信したリレーノードＲＮ＃２から、「Ｘ２-ＡＰ（ＵＥ）：Ｓｅｃｕｒｉｔｙ  Ｃｏｎｔｅｘｔ  Ｒｅｑｕｅｓｔ」を受信するように構成されている機能と、受信された「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能と、リレーノードＲＮ＃２に対して、生成したＫ_ＲＲＣｉｎｔ及びＫ_ＲＲＣｅｎｃのみを通知するように構成されている機能とを具備することを要旨とする。
【００７１】
（本発明の第２の実施形態に係る移動通信システム）
図６乃至図８を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００７２】
図６に示すように、無線基地局ＤｅＮＢは、Ｕｎインターフェイスの機能として、物理レイヤ（Ｌ１）機能と、ＭＡＣレイヤ機能と、ＲＬＣレイヤ機能と、ＰＤＣＰレイヤ機能と、ＩＰレイヤ機能と、ＳＣＴＰレイヤ機能と、Ｓ１-ＡＰレイヤ機能とを具備している。
【００７３】
ここで、Ｓ１-ＡＰレイヤ機能は、３ＧＰＰ  Ｒｅｌｅａｓｅ.８で規定されているＳ１-ＡＰレイヤ機能を改修したものであってもよいし、別個のＳ１-ＡＰレイヤ機能であってもよい。
【００７４】
また、無線基地局ＤｅＮＢは、交換局ＭＭＥ側の機能として、物理レイヤ（Ｌ１）機能と、Ｌ２機能と、ＩＰレイヤ機能と、ＳＣＴＰレイヤ機能と、Ｓ１-ＡＰレイヤ機能とを具備している。
【００７５】
ここで、Ｓ１-ＡＰ＃Ａは、リレーノードＲＮのＳ１-ＡＰレイヤ機能と無線基地局ＤｅＮＢのＳ１-ＡＰレイヤ機能との間で終端するように構成されている。
【００７６】
また、Ｓ１-ＡＰ＃Ｂは、リレーノードＲＮのＳ１-ＡＰレイヤ機能と無線基地局ＤｅＮＢのＳ１-ＡＰレイヤ機能との間で終端するように構成されている。
【００７７】
以下、図７及び図８を参照して、本実施形態に係る移動通信システムにおける移動局ＵＥのハンドオーバ方法について説明する。
【００７８】
第１に、図７を参照して、上述のケース１における本実施形態に係る移動通信システムの動作について説明する。
【００７９】
図７に示すように、ステップＳ２００１において、移動局ＵＥは、所定条件が満たされた場合に、リレーノードＲＮに対して、「ＲＲＣ（ＵＥ）：Ｍｅａｓｕｒｅｍｅｎｔ  ｒｅｐｏｒｔ」を送信する。
【００８０】
リレーノードＲＮは、移動局ＵＥを無線基地局ＤｅＮＢ＃２にハンドオーバさせることを決定した場合、ステップＳ２００２において、無線基地局ＤｅＮＢ＃１に対して、「Ｘ２-ＡＰ（ＵＥ）：Ｈａｎｄｏｖｅｒ  Ｒｅｑｕｅｓｔ」を送信する。
【００８１】
無線基地局ＤｅＮＢ＃１は、ステップＳ２００３において、受信した「Ｘ２-ＡＰ（ＵＥ）：Ｈａｎｄｏｖｅｒ  Ｒｅｑｕｅｓｔ」に応じて、Ｋ_ｅＮＢ＊及びＭＡＣを抽出し、ステップＳ２００４において、無線基地局ＤｅＮＢ＃２に対して、抽出したＫ_ｅＮＢ＊及びＭＡＣを含む「Ｘ２-ＡＰ（ＵＥ）：Ｈａｎｄｏｖｅｒ  Ｒｅｑｕｅｓｔ」を送信する。
【００８２】
ステップＳ２００５において、無線基地局ＤｅＮＢ＃２は、「Ｘ２-ＡＰ（ＵＥ）：Ｈａｎｄｏｖｅｒ  Ｒｅｑｕｅｓｔ」に含まれるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成して保持する。
【００８３】
ステップＳ２００６において、無線基地局ＤｅＮＢ＃２は、無線基地局ＤｅＮＢ＃１に対して、「Ｘ２-ＡＰ（ＵＥ）：Ｈａｎｄｏｖｅｒ  Ｒｅｑｕｅｓｔ  Ａｃｋ」を送信する。
【００８４】
ステップＳ２００７において、無線基地局ＤｅＮＢ＃１は、リレーノードＲＮに対して、「Ｘ２-ＡＰ（ＵＥ）：Ｈａｎｄｏｖｅｒ  Ｒｅｑｕｅｓｔ  Ａｃｋ」を送信する。
【００８５】
ステップＳ２００８において、リレーノードＲＮは、移動局ＵＥに対して、「ＲＲＣ（ＵＥ）：Ｈａｎｄｏｖｅｒ  Ｃｏｍｍａｎｄ」を送信する。
【００８６】
ステップＳ２００９において、移動局ＵＥは、無線基地局ＤｅＮＢ＃２に対して、「ＲＲＣ（ＵＥ）：Ｈａｎｄｏｖｅｒ  Ｃｏｍｐｌｅｔｅ」を送信する。
【００８７】
ステップＳ２０１０において、無線基地局ＤｅＮＢ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮではなく無線基地局ＤｅＮＢ＃２に転送されるようになる。
【００８８】
ステップＳ２０１１において、無線基地局ＤｅＮＢ＃２は、無線基地局ＤｅＮＢ＃１に対して、「Ｘ２-ＡＰ（ＵＥ）：ＵＥ  Ｃｏｎｔｅｘｔ  ｒｅｌｅａｓｅ」を送信する。
【００８９】
ステップＳ２０１２において、無線基地局ＤｅＮＢ＃１は、リレーノードＲＮに対して、「Ｘ２-ＡＰ（ＵＥ）：ＵＥ  Ｃｏｎｔｅｘｔ  ｒｅｌｅａｓｅ」を送信する。
【００９０】
第２に、図８を参照して、上述のケース２における本実施形態に係る移動通信システムの動作について説明する。
【００９１】
図８に示すように、ステップＳ２００１Ａにおいて、移動局ＵＥは、所定条件が満たされた場合に、リレーノードＲＮ＃１に対して、「ＲＲＣ（ＵＥ）：Ｍｅａｓｕｒｅｍｅｎｔ  ｒｅｐｏｒｔ」を送信する。
【００９２】
リレーノードＲＮ＃１は、移動局ＵＥをリレーノードＲＮ＃２にハンドオーバさせることを決定した場合、ステップＳ２００２Ａにおいて、無線基地局ＤｅＮＢに対して、「Ｘ２-ＡＰ（ＵＥ）：Ｈａｎｄｏｖｅｒ  Ｒｅｑｕｅｓｔ」を送信する。
【００９３】
無線基地局ＤｅＮＢは、ステップＳ２００３Ａにおいて、受信した「Ｘ２-ＡＰ（ＵＥ）：Ｈａｎｄｏｖｅｒ  Ｒｅｑｕｅｓｔ」に応じて、Ｋ_ｅＮＢ＊及びＭＡＣを抽出し、かかるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成する。
【００９４】
ステップＳ２００４Ａにおいて、無線基地局ＤｅＮＢは、リレーノードＲＮ＃２に対して、生成したＫ_ＲＲＣｉｎｔ及びＫ_ＲＲＣｅｎｃを含み、生成したＫ_ＵＰｅｎｃを含まない「Ｘ２-ＡＰ（ＵＥ）：Ｈａｎｄｏｖｅｒ  Ｒｅｑｕｅｓｔ」を送信する。
【００９５】
ステップＳ２００５Ａにおいて、リレーノードＲＮ＃２は、「Ｘ２-ＡＰ（ＵＥ）：Ｈａｎｄｏｖｅｒ  Ｒｅｑｕｅｓｔ」に含まれるＫ_ＲＲＣｉｎｔ及びＫ_ＲＲＣｅｎｃを保持する。
【００９６】
ステップＳ２００６Ａにおいて、リレーノードＲＮ＃２は、無線基地局ＤｅＮＢに対して、「Ｘ２-ＡＰ（ＵＥ）：Ｈａｎｄｏｖｅｒ  Ｒｅｑｕｅｓｔ  Ａｃｋ」を送信する。
【００９７】
ステップＳ２００７Ａにおいて、無線基地局ＤｅＮＢは、リレーノードＲＮ＃１に対して、「Ｘ２-ＡＰ（ＵＥ）：Ｈａｎｄｏｖｅｒ  Ｒｅｑｕｅｓｔ  Ａｃｋ」を送信する。
【００９８】
ステップＳ２００８Ａにおいて、リレーノードＲＮ＃１は、移動局ＵＥに対して、「ＲＲＣ（ＵＥ）：Ｈａｎｄｏｖｅｒ  Ｃｏｍｍａｎｄ」を送信する。
【００９９】
ステップＳ２００９Ａにおいて、移動局ＵＥは、リレーノードＲＮ＃２に対して、「ＲＲＣ（ＵＥ）：Ｈａｎｄｏｖｅｒ  Ｃｏｍｐｌｅｔｅ」を送信する。
【０１００】
ステップＳ２０１０Ａにおいて、リレーノードＲＮ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮ＃１ではなくリレーノードＲＮ＃２に転送されるようになる。
【０１０１】
ステップＳ２０１１Ａにおいて、リレーノードＲＮ＃２は、無線基地局ＤｅＮＢに対して、「Ｘ２-ＡＰ（ＵＥ）：ＵＥ  Ｃｏｎｔｅｘｔ  ｒｅｌｅａｓｅ」を送信する。
【０１０２】
ステップＳ２０１２Ａにおいて、無線基地局ＤｅＮＢは、リレーノードＲＮ＃１に対して、「Ｘ２-ＡＰ（ＵＥ）：ＵＥ  Ｃｏｎｔｅｘｔ  ｒｅｌｅａｓｅ」を送信する。
【０１０３】
本発明の第２の実施形態に係る移動通信システムによれば、移動局ＵＥのハンドオーバ処理において、無線基地局ＤｅＮＢが、リレーノードＲＮ＃１から受信した「Ｘ２-ＡＰ（ＵＥ）：Ｈａｎｄｏｂｅｒ  Ｒｅｑｕｅｓｔ」に応じて、リレーノードＲＮ＃２に対して、セキュリティ情報（Ｋ_ｅＮＢ＊及びＭＡＣ、或いは、Ｋ_ＲＲＣｉｎｔ及びＫ_ＲＲＣｅｎｃ）を通知することができるため、ＫｅＮＢを保持していないリレーノードＲＮを介して通信中の移動局ＵＥのハンドオーバ処理を実現することができる。
【０１０４】
以上に述べた本実施形態の特徴は、以下のように表現されていてもよい。
【０１０５】
本実施形態の第１の特徴は、移動通信方法であって、移動局ＵＥが、無線基地局ＤｅＮＢ＃１に接続されているリレーノードＲＮから無線基地局ＤｅＮＢ＃２にハンドオーバするハンドオーバ方法であって、リレーノードＲＮが、無線基地局ＤｅＮＢ＃１に対して、「Ｘ２-ＡＰ（ＵＥ）：Ｈａｎｄｏｖｅｒ  Ｒｅｑｕｅｓｔ」を送信する工程と、無線基地局ＤｅＮＢ＃１が、「Ｘ２-ＡＰ（ＵＥ）：Ｈａｎｄｏｖｅｒ  Ｒｅｑｕｅｓｔ」にＫ_ｅＮＢ＊及びＭＡＣを含めて無線基地局ＤｅＮＢ＃２に送信する工程と、無線基地局ＤｅＮＢ＃２が、「Ｘ２-ＡＰ（ＵＥ）：Ｈａｎｄｏｖｅｒ  Ｒｅｑｕｅｓｔ」に含まれているＫ_ｅＮＢ＊及びＭＡＣに基づいて、ＫｅＮＢを生成する工程と、無線基地局ＤｅＮＢ＃２が、生成したＫｅＮＢに基づいて、Ｋ_ＲＲＣｉｎｔとＫ_ＲＲＣｅｎｃとＫ_ＵＰｅｎｃとを生成する工程とを有することを要旨とする。
【０１０６】
本実施形態の第２の特徴は、移動通信方法であって、移動局ＵＥが、無線基地局ＤｅＮＢに接続されているリレーノードＲＮ＃１からリレーノードＲＮ＃２にハンドオーバするハンドオーバ方法であって、リレーノードＲＮ＃１が、無線基地局ＤｅＮＢに対して、「Ｘ２-ＡＰ（ＵＥ）：Ｈａｎｄｏｖｅｒ  Ｒｅｑｕｅｓｔ」を送信する工程と、無線基地局ＤｅＮＢが、「Ｘ２-ＡＰ（ＵＥ）：Ｈａｎｄｏｖｅｒ  Ｒｅｑｕｅｓｔ」に応じて、Ｋ_ｅＮＢ＊及びＭＡＣに基づいて、ＫｅＮＢを生成する工程と、無線基地局ＤｅＮＢが、生成したＫｅＮＢに基づいて、Ｋ_ＲＲＣｉｎｔとＫ_ＲＲＣｅｎｃとＫ_ＵＰｅｎｃとを生成する工程と、無線基地局ＤｅＮＢが、リレーノードＲＮ＃２に対して、生成したＫ_ＲＲＣｉｎｔ及びＫ_ＲＲＣｅｎｃのみを通知する工程とを有することを要旨とする。
【０１０７】
本実施形態の第３の特徴は、移動局ＵＥが、無線基地局ＤｅＮＢ＃１に接続されているリレーノードＲＮから無線基地局ＤｅＮＢ＃２にハンドオーバするハンドオーバ方法において、無線基地局ＤｅＮＢ＃２として動作する無線基地局ＤｅＮＢであって、リレーノードＲＮから「Ｘ２-ＡＰ（ＵＥ）：Ｈａｎｄｏｖｅｒ  Ｒｅｑｕｅｓｔ」を受信した無線基地局ＤｅＮＢ＃１から、「Ｘ２-ＡＰ（ＵＥ）：Ｈａｎｄｏｖｅｒ  Ｒｅｑｕｅｓｔ」を受信するように構成されている機能と、受信された「Ｘ２-ＡＰ（ＵＥ）：Ｈａｎｄｏｖｅｒ  Ｒｅｑｕｅｓｔ」に含まれているＫ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能とを具備することを要旨とする。
【０１０８】
本実施形態の第４の特徴は、移動局ＵＥが、無線基地局ＤｅＮＢに接続されているリレーノードＲＮ＃１からリレーノード２にハンドオーバするハンドオーバ方法における無線基地局ＤｅＮＢであって、リレーノードＲＮ＃１から、「Ｘ２-ＡＰ（ＵＥ）：Ｈａｎｄｏｖｅｒ  Ｒｅｑｕｅｓｔ」を受信するように構成されている機能と、受信された「Ｘ２-ＡＰ（ＵＥ）：Ｈａｎｄｏｖｅｒ  Ｒｅｑｕｅｓｔ」に応じて、Ｋ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能と、リレーノードＲＮ＃２に対して、生成されたＫ_ＲＲＣｉｎｔ及びＫ_ＲＲＣｅｎｃのみを通知するように構成されている機能とを具備することを要旨とする。
【０１０９】
（本発明の第３の実施形態に係る移動通信システム）
図６乃至図８を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【０１１０】
本実施形態に係る移動通信システムでは、図９に示すように、無線基地局ＤｅＮＢが、図３に示すリレーノードＲＮ用のゲートウェイ装置ＳＧＷ/ＰＧＷの機能を具備するように構成されている。
【０１１１】
以下、図１０及び図１１を参照して、本実施形態に係る移動通信システムにおける移動局ＵＥのハンドオーバ方法について説明する。
【０１１２】
第１に、図１０を参照して、上述のケース１における本実施形態に係る移動通信システムの動作について説明する。
【０１１３】
図１０に示すように、ステップＳ３００１において、移動局ＵＥは、所定条件が満たされた場合に、リレーノードＲＮに対して、「ＲＲＣ（ＵＥ）：Ｍｅａｓｕｒｅｍｅｎｔ  ｒｅｐｏｒｔ」を送信する。
【０１１４】
リレーノードＲＮは、移動局ＵＥを無線基地局ＤｅＮＢ＃２にハンドオーバさせることを決定した場合、ステップＳ３００２において、無線基地局ＤｅＮＢ＃１を経由して、無線基地局ＤｅＮＢ＃２に対して、「Ｘ２-ＡＰ（ＵＥ）：Ｈａｎｄｏｖｅｒ  Ｒｅｑｕｅｓｔ」を送信する。
【０１１５】
ここで、無線基地局ＤｅＮＢ＃１は、かかる「Ｘ２-ＡＰ（ＵＥ）：Ｈａｎｄｏｖｅｒ  Ｒｅｑｕｅｓｔ」を認識することができない。
【０１１６】
ステップＳ３００３において、無線基地局ＤｅＮＢ＃２は、受信した「Ｘ２-ＡＰ（ＵＥ）：Ｈａｎｄｏｖｅｒ  Ｒｅｑｕｅｓｔ」に応じて、無線基地局ＤｅＮＢ＃１に対して、「Ｘ２-ＡＰ（ＵＥ）：Ｓｅｃｕｒｉｔｙ  Ｃｏｎｔｅｘｔ  Ｒｅｑｕｅｓｔ」を送信する。
【０１１７】
無線基地局ＤｅＮＢ＃１は、ステップＳ３００４において、受信した「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊及びＭＡＣを抽出し、ステップＳ３００５において、無線基地局ＤｅＮＢ＃２に対して、抽出したＫ_ｅＮＢ＊及びＭＡＣを含む「Ｘ２-ＡＰ（ＵＥ）：Ｓｅｃｕｒｉｔｙ  Ｃｏｎｔｅｘｔ  Ｒｅｓｐｏｎｓｅ」を送信する。
【０１１８】
ステップＳ３００６において、無線基地局ＤｅＮＢ＃２は、「Ｘ２-ＡＰ（ＵＥ）：Ｓｅｃｕｒｉｔｙ  Ｃｏｎｔｅｘｔ  Ｒｅｓｐｏｎｓｅ」に含まれるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成して保持する。
【０１１９】
ステップＳ３００７において、無線基地局ＤｅＮＢ＃２は、無線基地局ＤｅＮＢ＃１を経由して、リレーノードＲＮに対して、「Ｘ２-ＡＰ（ＵＥ）：Ｈａｎｄｏｖｅｒ  Ｒｅｑｕｅｓｔ  Ａｃｋ」を送信する。
【０１２０】
ここで、無線基地局ＤｅＮＢ＃１は、かかる「Ｘ２-ＡＰ（ＵＥ）：Ｈａｎｄｏｖｅｒ  Ｒｅｑｕｅｓｔ  Ａｃｋ」を認識することができない。
【０１２１】
ステップＳ３００８において、リレーノードＲＮは、移動局ＵＥに対して、「ＲＲＣ（ＵＥ）：Ｈａｎｄｏｖｅｒ  Ｃｏｍｍａｎｄ」を送信する。
【０１２２】
ステップＳ３００９において、移動局ＵＥは、無線基地局ＤｅＮＢ＃２に対して、「ＲＲＣ（ＵＥ）：Ｈａｎｄｏｖｅｒ  Ｃｏｍｐｌｅｔｅ」を送信する。
【０１２３】
ステップＳ１０１０において、無線基地局ＤｅＮＢ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮではなく無線基地局ＤｅＮＢ＃２に転送されるようになる。
【０１２４】
ステップＳ３０１１において、無線基地局ＤｅＮＢ＃２は、無線基地局ＤｅＮＢ＃１を介して、リレーノードＲＮに対して、「Ｘ２-ＡＰ（ＵＥ）：ＵＥ  Ｃｏｎｔｅｘｔ  ｒｅｌｅａｓｅ」を送信する。
【０１２５】
第２に、図１１を参照して、上述のケース２における本実施形態に係る移動通信システムの動作について説明する。
【０１２６】
図１１に示すように、ステップＳ３００１Ａにおいて、移動局ＵＥは、所定条件が満たされた場合に、リレーノードＲＮ＃１に対して、「ＲＲＣ（ＵＥ）：Ｍｅａｓｕｒｅｍｅｎｔ  ｒｅｐｏｒｔ」を送信する。
【０１２７】
リレーノードＲＮ＃１は、移動局ＵＥをリレーノードＲＮ＃２にハンドオーバさせることを決定した場合、ステップＳ３００２Ａにおいて、無線基地局ＤｅＮＢを経由して、リレーノードＲＮ＃２に対して、「Ｘ２-ＡＰ（ＵＥ）：Ｈａｎｄｏｖｅｒ  Ｒｅｑｕｅｓｔ」を送信する。
【０１２８】
ここで、無線基地局ＤｅＮＢは、かかる「Ｘ２-ＡＰ（ＵＥ）：Ｈａｎｄｏｖｅｒ  Ｒｅｑｕｅｓｔ」を認識することができない。
【０１２９】
ステップＳ３００３Ａにおいて、リレーノードＲＮ＃２は、受信した「Ｘ２-ＡＰ（ＵＥ）：Ｈａｎｄｏｖｅｒ  Ｒｅｑｕｅｓｔ」に応じて、無線基地局ＤｅＮＢに対して、「Ｘ２-ＡＰ（ＵＥ）：Ｓｅｃｕｒｉｔｙ  Ｃｏｎｔｅｘｔ  Ｒｅｑｕｅｓｔ」を送信する。
【０１３０】
無線基地局ＤｅＮＢは、ステップＳ３００４Ａにおいて、受信した「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊及びＭＡＣを抽出し、かかるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成する。
【０１３１】
ステップＳ３００５Ａにおいて、無線基地局ＤｅＮＢは、リレーノードＲＮ＃２に対して、生成したＫ_ＲＲＣｉｎｔ及びＫ_ＲＲＣｅｎｃを含み、生成したＫ_ＵＰｅｎｃを含まない「Ｘ２-ＡＰ（ＵＥ）：Ｓｅｃｕｒｉｔｙ  Ｃｏｎｔｅｘｔ  Ｒｅｓｐｏｎｓｅ」を送信する。
【０１３２】
ステップＳ３００６Ａにおいて、リレーノードＲＮ＃２は、「Ｘ２-ＡＰ（ＵＥ）：Ｓｅｃｕｒｉｔｙ  Ｃｏｎｔｅｘｔ  Ｒｅｓｐｏｎｓｅ」に含まれるＫ_ＲＲＣｉｎｔ及びＫ_ＲＲＣｅｎｃを保持する。
【０１３３】
ステップＳ３００７Ａにおいて、リレーノードＲＮ＃２は、無線基地局ＤｅＮＢを経由して、リレーノードＲＮ＃１に対して、「Ｘ２-ＡＰ（ＵＥ）：Ｈａｎｄｏｖｅｒ  Ｒｅｑｕｅｓｔ  Ａｃｋ」を送信する。
【０１３４】
ここで、無線基地局ＤｅＮＢは、かかる「Ｘ２-ＡＰ（ＵＥ）：Ｈａｎｄｏｖｅｒ  Ｒｅｑｕｅｓｔ  Ａｃｋ」を認識することができない。
【０１３５】
ステップＳ３００８Ａにおいて、リレーノードＲＮ＃１は、移動局ＵＥに対して、「ＲＲＣ（ＵＥ）：Ｈａｎｄｏｖｅｒ  Ｃｏｍｍａｎｄ」を送信する。
【０１３６】
ステップＳ３００９Ａにおいて、移動局ＵＥは、リレーノードＲＮ＃２に対して、「ＲＲＣ（ＵＥ）：Ｈａｎｄｏｖｅｒ  Ｃｏｍｐｌｅｔｅ」を送信する。
【０１３７】
ステップＳ３０１０Ａにおいて、リレーノードＲＮ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮ＃１ではなくリレーノードＲＮ＃２に転送されるようになる。
【０１３８】
ステップＳ３０１１Ａにおいて、リレーノードＲＮ＃２は、無線基地局ＤｅＮＢは、リレーノードＲＮ＃１に対して、「Ｘ２-ＡＰ（ＵＥ）：ＵＥ  Ｃｏｎｔｅｘｔ  ｒｅｌｅａｓｅ」を送信する。
【０１３９】
（本発明の第４の実施形態に係る移動通信システム）
図１２乃至図１４を参照して、本発明の第４の実施形態に係る移動通信システムについて説明する。以下、本発明の第４の実施形態に係る移動通信システムについて、上述の第２の実施形態に係る移動通信システムとの相違点に着目して説明する。
【０１４０】
図１２に示すように、無線基地局ＤｅＮＢは、Ｕｎインターフェイスの機能として、物理レイヤ（Ｌ１）機能と、ＭＡＣレイヤ機能と、ＲＬＣレイヤ機能と、ＰＤＣＰレイヤ機能と、ＲＲＣレイヤ機能とを具備している。
【０１４１】
リレーノードＲＮは、Ｕｎインターフェイスの機能として、物理レイヤ（Ｌ１）機能と、ＭＡＣレイヤ機能と、ＲＬＣレイヤ機能と、ＰＤＣＰレイヤ機能と、ＲＲＣレイヤ機能とを具備している。
【０１４２】
ここで、ＲＲＣは、リレーノードＲＮのＲＲＣレイヤ機能と無線基地局ＤｅＮＢのＲＲＣレイヤ機能との間で終端するように構成されている。
【０１４３】
また、Ｓ１-ＡＰは、リレーノードＲＮのＳ１-ＡＰレイヤ機能と無線基地局ＤｅＮＢのＳ１-ＡＰレイヤ機能との間で終端するように構成されている。
【０１４４】
以下、図１３及び図１４を参照して、本実施形態に係る移動通信システムにおける移動局ＵＥのハンドオーバ方法について説明する。
【０１４５】
第１に、図１３を参照して、上述のケース１における本実施形態に係る移動通信システムの動作について説明する。
【０１４６】
図１３に示すように、ステップＳ４００１において、移動局ＵＥは、所定条件が満たされた場合に、リレーノードＲＮに対して、「ＲＲＣ（ＵＥ）：Ｍｅａｓｕｒｅｍｅｎｔ  ｒｅｐｏｒｔ」を送信する。
【０１４７】
リレーノードＲＮは、移動局ＵＥを無線基地局ＤｅＮＢ＃２にハンドオーバさせることを決定した場合、ステップＳ４００２において、無線基地局ＤｅＮＢ＃１に対して、「ＲＲＣ（ＵＥ）：Ｈａｎｄｏｖｅｒ  Ｒｅｑｕｅｓｔ」を送信する。
【０１４８】
無線基地局ＤｅＮＢ＃１は、ステップＳ４００３において、受信した「ＲＲＣ（ＵＥ）：Ｈａｎｄｏｖｅｒ  Ｒｅｑｕｅｓｔ」に応じて、Ｋ_ｅＮＢ＊及びＭＡＣを抽出し、ステップＳ４００４において、無線基地局ＤｅＮＢ＃２に対して、抽出したＫ_ｅＮＢ＊及びＭＡＣを含む「Ｘ２-ＡＰ（ＵＥ）：Ｈａｎｄｏｖｅｒ  Ｒｅｑｕｅｓｔ」を送信する。
【０１４９】
ステップＳ４００５において、無線基地局ＤｅＮＢ＃２は、「Ｘ２-ＡＰ（ＵＥ）：Ｈａｎｄｏｖｅｒ  Ｒｅｑｕｅｓｔ」に含まれるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成して保持する。
【０１５０】
ステップＳ４００６において、無線基地局ＤｅＮＢ＃２は、無線基地局ＤｅＮＢ＃１に対して、「Ｘ２-ＡＰ（ＵＥ）：Ｈａｎｄｏｖｅｒ  Ｒｅｑｕｅｓｔ  Ａｃｋ」を送信する。
【０１５１】
ステップＳ４００７において、無線基地局ＤｅＮＢ＃１は、リレーノードＲＮに対して、「ＲＲＣ（ＵＥ）：Ｈａｎｄｏｖｅｒ  Ｒｅｑｕｅｓｔ  Ａｃｋ」を送信する。
【０１５２】
ステップＳ４００８において、リレーノードＲＮは、移動局ＵＥに対して、「ＲＲＣ（ＵＥ）：Ｈａｎｄｏｖｅｒ  Ｃｏｍｍａｎｄ」を送信する。
【０１５３】
ステップＳ４００９において、移動局ＵＥは、無線基地局ＤｅＮＢ＃２に対して、「ＲＲＣ（ＵＥ）：Ｈａｎｄｏｖｅｒ  Ｃｏｍｐｌｅｔｅ」を送信する。
【０１５４】
ステップＳ４０１０において、無線基地局ＤｅＮＢ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮではなく無線基地局ＤｅＮＢ＃２に転送されるようになる。
【０１５５】
ステップＳ４０１１において、無線基地局ＤｅＮＢ＃２は、無線基地局ＤｅＮＢ＃１に対して、「Ｘ２-ＡＰ（ＵＥ）：ＵＥ  Ｃｏｎｔｅｘｔ  ｒｅｌｅａｓｅ」を送信する。
【０１５６】
ステップＳ４０１２において、無線基地局ＤｅＮＢ＃１は、リレーノードＲＮに対して、「ＲＲＣ（ＵＥ）：ＵＥ  Ｃｏｎｔｅｘｔ  ｒｅｌｅａｓｅ」を送信する。
【０１５７】
第２に、図１４を参照して、上述のケース２における本実施形態に係る移動通信システムの動作について説明する。
【０１５８】
図１４に示すように、ステップＳ４００１Ａにおいて、移動局ＵＥは、所定条件が満たされた場合に、リレーノードＲＮ＃１に対して、「ＲＲＣ（ＵＥ）：Ｍｅａｓｕｒｅｍｅｎｔ  ｒｅｐｏｒｔ」を送信する。
【０１５９】
リレーノードＲＮ＃１は、移動局ＵＥをリレーノードＲＮ＃２にハンドオーバさせることを決定した場合、ステップＳ４００２Ａにおいて、無線基地局ＤｅＮＢに対して、「ＲＲＣ（ＵＥ）：Ｈａｎｄｏｖｅｒ  Ｒｅｑｕｅｓｔ」を送信する。
【０１６０】
無線基地局ＤｅＮＢは、ステップＳ４００３Ａにおいて、受信した「ＲＲＣ（ＵＥ）：Ｈａｎｄｏｖｅｒ  Ｒｅｑｕｅｓｔ」に応じて、Ｋ_ｅＮＢ＊及びＭＡＣを抽出し、かかるＫ_ｅＮＢ＊及びＭＡＣに基づいて、ＫｅＮＢを生成し、かかるＫｅＮＢに基づいて、Ｋ_ＲＲＣｉｎｔとＫ_ＲＲＣｅｎｃとＫ_ＵＰｅｎｃとを生成する。
【０１６１】
ステップＳ４００４Ａにおいて、無線基地局ＤｅＮＢは、リレーノードＲＮ＃２に対して、生成したＫ_ＲＲＣｉｎｔ及びＫ_ＲＲＣｅｎｃを含み、生成したＫ_ＵＰｅｎｃを含まない「ＲＲＣ（ＵＥ）：Ｈａｎｄｏｖｅｒ  Ｒｅｑｕｅｓｔ」を送信する。
【０１６２】
ステップＳ２００５Ａにおいて、リレーノードＲＮ＃２は、「ＲＲＣ（ＵＥ）：Ｈａｎｄｏｖｅｒ  Ｒｅｑｕｅｓｔ」に含まれるＫ_ＲＲＣｉｎｔ及びＫ_ＲＲＣｅｎｃを保持する。
【０１６３】
ステップＳ２００６Ａにおいて、リレーノードＲＮ＃２は、無線基地局ＤｅＮＢに対して、「ＲＲＣ（ＵＥ）：Ｈａｎｄｏｖｅｒ  Ｒｅｑｕｅｓｔ  Ａｃｋ」を送信する。
【０１６４】
ステップＳ２００７Ａにおいて、無線基地局ＤｅＮＢは、リレーノードＲＮ＃１に対して、「ＲＲＣ（ＵＥ）：Ｈａｎｄｏｖｅｒ  Ｒｅｑｕｅｓｔ  Ａｃｋ」を送信する。
【０１６５】
ステップＳ２００８Ａにおいて、リレーノードＲＮ＃１は、移動局ＵＥに対して、「ＲＲＣ（ＵＥ）：Ｈａｎｄｏｖｅｒ  Ｃｏｍｍａｎｄ」を送信する。
【０１６６】
ステップＳ２００９Ａにおいて、移動局ＵＥは、リレーノードＲＮ＃２に対して、「ＲＲＣ（ＵＥ）：Ｈａｎｄｏｖｅｒ  Ｃｏｍｐｌｅｔｅ」を送信する。
【０１６７】
ステップＳ２０１０Ａにおいて、リレーノードＲＮ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮ＃１ではなくリレーノードＲＮ＃２に転送されるようになる。
【０１６８】
ステップＳ２０１１Ａにおいて、リレーノードＲＮ＃２は、無線基地局ＤｅＮＢに対して、「ＲＲＣ（ＵＥ）：ＵＥ  Ｃｏｎｔｅｘｔ  ｒｅｌｅａｓｅ」を送信する。
【０１６９】
ステップＳ２０１２Ａにおいて、無線基地局ＤｅＮＢは、リレーノードＲＮ＃１に対して、「ＲＲＣ（ＵＥ）：ＵＥ  Ｃｏｎｔｅｘｔ  ｒｅｌｅａｓｅ」を送信する。
【０１７０】
以上に述べた本実施形態の特徴は、以下のように表現されていてもよい。
【０１７１】
本実施形態の第１の特徴は、移動通信方法であって、移動局ＵＥが、無線基地局ＤｅＮＢ＃１に接続されているリレーノードＲＮから無線基地局ＤｅＮＢ＃２にハンドオーバするハンドオーバ方法であって、リレーノードＲＮが、無線基地局ＤｅＮＢ＃１に対して、「ＲＲＣ（ＵＥ）：Ｈａｎｄｏｖｅｒ  Ｒｅｑｕｅｓｔ」を送信する工程と、無線基地局ＤｅＮＢ＃１が、「Ｘ２-ＡＰ（ＵＥ）：Ｈａｎｄｏｖｅｒ  Ｒｅｑｕｅｓｔ」にＫ_ｅＮＢ＊及びＭＡＣを含めて無線基地局ＤｅＮＢ＃２に送信する工程と、無線基地局ＤｅＮＢ＃２が、「Ｘ２-ＡＰ（ＵＥ）：Ｈａｎｄｏｖｅｒ  Ｒｅｑｕｅｓｔ」に含まれているＫ_ｅＮＢ＊及びＭＡＣに基づいて、ＫｅＮＢを生成する工程と、無線基地局ＤｅＮＢ＃２が、生成したＫｅＮＢに基づいて、Ｋ_ＲＲＣｉｎｔとＫ_ＲＲＣｅｎｃとＫ_ＵＰｅｎｃとを生成する工程とを有することを要旨とする。
【０１７２】
本実施形態の第２の特徴は、移動通信方法であって、移動局ＵＥが、無線基地局ＤｅＮＢに接続されているリレーノードＲＮ＃１からリレーノードＲＮ＃２にハンドオーバするハンドオーバ方法であって、リレーノードＲＮ＃１が、無線基地局ＤｅＮＢに対して、「ＲＲＣ（ＵＥ）：Ｈａｎｄｏｖｅｒ  Ｒｅｑｕｅｓｔ」を送信する工程と、無線基地局ＤｅＮＢが、「Ｘ２-ＡＰ（ＵＥ）：Ｈａｎｄｏｖｅｒ  Ｒｅｑｕｅｓｔ」に応じて、Ｋ_ｅＮＢ＊及びＭＡＣに基づいて、ＫｅＮＢを生成する工程と、無線基地局ＤｅＮＢが、生成したＫｅＮＢに基づいて、Ｋ_ＲＲＣｉｎｔとＫ_ＲＲＣｅｎｃとＫ_ＵＰｅｎｃとを生成する工程と、無線基地局ＤｅＮＢが、リレーノードＲＮ＃２に対して、生成したＫ_ＲＲＣｉｎｔ及びＫ_ＲＲＣｅｎｃのみを通知する工程とを有することを要旨とする。
【０１７３】
本実施形態の第３の特徴は、移動局ＵＥが、無線基地局ＤｅＮＢ＃１に接続されているリレーノードＲＮから無線基地局ＤｅＮＢ＃２にハンドオーバするハンドオーバ方法において、無線基地局ＤｅＮＢ＃２として動作する無線基地局ＤｅＮＢであって、リレーノードＲＮから「ＲＲＣ（ＵＥ）：Ｈａｎｄｏｖｅｒ  Ｒｅｑｕｅｓｔ」を受信した無線基地局ＤｅＮＢ＃１から、「Ｘ２-ＡＰ（ＵＥ）：Ｈａｎｄｏｖｅｒ  Ｒｅｑｕｅｓｔ」を受信するように構成されている機能と、受信された「Ｘ２-ＡＰ（ＵＥ）：Ｈａｎｄｏｖｅｒ  Ｒｅｑｕｅｓｔ」に含まれているＫ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能とを具備することを要旨とする。
【０１７４】
本実施形態の第４の特徴は、移動局ＵＥが、無線基地局ＤｅＮＢに接続されているリレーノードＲＮ＃１からリレーノード２にハンドオーバするハンドオーバ方法における無線基地局ＤｅＮＢであって、リレーノードＲＮ＃１から、「ＲＲＣ（ＵＥ）：Ｈａｎｄｏｖｅｒ  Ｒｅｑｕｅｓｔ」を受信するように構成されている機能と、受信された「Ｘ２-ＡＰ（ＵＥ）：Ｈａｎｄｏｖｅｒ  Ｒｅｑｕｅｓｔ」に応じて、Ｋ_ｅＮＢ＊及びＭＡＣに基づいて、ＫｅＮＢを生成するように構成されている機能と、生成されたＫｅＮＢに基づいて、Ｋ_ＲＲＣｉｎｔとＫ_ＲＲＣｅｎｃとＫ_ＵＰｅｎｃとを生成するように構成されている機能と、リレーノードＲＮ＃２に対して、生成されたＫ_ＲＲＣｉｎｔ及びＫ_ＲＲＣｅｎｃのみを通知するように構成されている機能とを具備することを要旨とする。
【０１７５】
なお、上述の無線基地局ＤｅＮＢやリレーノードＲＮや移動局ＵＥやゲートウェイ装置ＳＧＷ/ＰＧＷの動作は、ハードウェアによって実施されてもよいし、プロセッサによって実行されるソフトウェアモジュールによって実施されてもよいし、両者の組み合わせによって実施されてもよい。
【０１７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥやゲートウェイ装置ＳＧＷ/ＰＧＷ内に設けられていてもよい。また、かかる記憶媒体及びプロセッサは、ディスクリートコンポーネントとして無線基地局ＤｅＮＢやリレーノードＲＮや移動局ＵＥやゲートウェイ装置ＳＧＷ/ＰＧＷ内に設けられていてもよい。
【０１７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１７９】
ＲＮ…リレーノード
ＤｅＮＢ…無線基地局
ＳＧＷ/ＰＧＷ…ゲートウェイ装置
ＵＥ…移動局
【図１】
2011015317.tif 000003
【図２】
2011015317.tif 000004
【図３】
2011015317.tif 000005
【図４】
2011015317.tif 000006
【図５】
2011015317.tif 000007
【図６】
2011015317.tif 000008
【図７】
2011015317.tif 000009
【図８】
2011015317.tif 000010
【図９】
2011015317.tif 000011
【図１０】
2011015317.tif 000012
【図１１】
2011015317.tif 000013
【図１２】
2011015317.tif 000014
【図１３】
2011015317.tif 000015
【図１４】
2011015317.tif 000016
【手続補正書】
【提出日】平成21年7月7日(2009.7.7)
【手続補正１】
【補正対象書類名】明細書
【補正対象項目名】０００３
【補正方法】変更
【補正の内容】
【０００３】
かかるＬＴＥ-Ａｄｖａｎｃｅｄ方式の移動通信システムでは、移動局ＵＥと交換局ＭＭＥ（Ｍｏｂｉｌｉｔｙ  Ｍａｎａｇｅｍｅｎｔ  Ｅｎｔｉｔｙ）との間で、ＥＰＳ  Ｂｅａｒｅｒ（Ｅｖｏｌｖｅｄ  Ｐａｃｋｅｔ  Ｓｙｓｔｅｍ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢと交換局ＭＭＥとの間で、Ｓ１ベアラが設定されるように構成されている。
【手続補正２】
【補正対象書類名】明細書
【補正対象項目名】０００４
【補正方法】変更
【補正の内容】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【手続補正３】
【補正対象書類名】明細書
【補正対象項目名】００３１
【補正方法】変更
【補正の内容】
【００３１】
また、リレーノードＲＮ用のゲートウェイ装置ＳＧＷ/ＰＧＷは、交換局ＭＭＥ側の機能として、物理レイヤ（Ｌ１）機能と、Ｌ２機能と、ＩＰレイヤ機能とを具備している。また、交換局ＭＭＥは、物理レイヤ（Ｌ１）機能と、Ｌ２機能と、ＩＰレイヤ機能とを具備している。
【手続補正４】
【補正対象書類名】明細書
【補正対象項目名】００３３
【補正方法】変更
【補正の内容】
【００３３】
また、ＰＤＣＰ（ＲＲＣ）は、リレーノードＲＮのＰＤＣＰ（ＲＲＣ）レイヤ機能と無線基地局ＤｅＮＢのＰＤＣＰ（ＲＲＣ）レイヤ機能との間で終端するように構成されている。
【手続補正５】
【補正対象書類名】明細書
【補正対象項目名】００３４
【補正方法】変更
【補正の内容】
【００３４】
なお、本実施形態に係る移動通信システムでは、無線基地局ＤｅＮＢが、Ｕプレーン（データ信号）用のセキュリティ情報（ＵＥ  ＡＳ  Ｓｅｃｕｒｉｔｙ  Ｃｏｎｔｅｘｔ）についての処理及び管理を行い、リレーノードＲＮが、Ｃプレーン（制御信号）用のセキュリティ情報（ＵＥ  ＡＳ  Ｓｅｃｕｒｉｔｙ  Ｃｏｎｔｅｘｔ）についての処理及び管理を行うように構成されている。
【手続補正６】
【補正対象書類名】明細書
【補正対象項目名】００４１
【補正方法】変更
【補正の内容】
【００４１】
無線基地局ＤｅＮＢ＃１は、ステップＳ１００４において、受信した「Ｘ２-ＡＰ（ＵＥ）：Ｓｅｃｕｒｉｔｙ  Ｃｏｎｔｅｘｔ  Ｒｅｑｕｅｓｔ」に応じて、Ｋ_ｅＮＢ＊（第１パラメータ）及びＭＡＣ（Ｍｅｓｓａｇｅ  Ａｕｔｈｅｎｔｉｃａｔｉｏｎ  Ｃｏｄｅ）（第２パラメータ）を抽出し、ステップＳ１００５において、無線基地局ＤｅＮＢ＃２に対して、抽出したＫ_ｅＮＢ＊及びＭＡＣを含む「Ｘ２-ＡＰ（ＵＥ）：Ｓｅｃｕｒｉｔｙ  Ｃｏｎｔｅｘｔ  Ｒｅｓｐｏｎｓｅ（セキュリティ情報応答信号）」を送信する。
【手続補正７】
【補正対象書類名】明細書
【補正対象項目名】００６５
【補正方法】変更
【補正の内容】
【００６５】
本発明の第１の実施形態に係る移動通信システムによれば、移動局ＵＥのハンドオーバ処理において、無線基地局ＤｅＮＢ＃１が、無線基地局ＤｅＮＢ＃２からの「Ｘ２-ＡＰ（ＵＥ）：Ｓｅｃｕｒｉｔｙ  Ｃｏｎｔｅｘｔ  Ｒｅｑｕｅｓｔ」に応じて、無線基地局ＤｅＮＢ＃２に対して、セキュリティ情報（Ｋ_ｅＮＢ＊及びＭＡＣ、或いは、Ｋ_ＲＲＣｉｎｔ及びＫ_ＲＲＣｅｎｃ）を通知することができるため、ＫｅＮＢを保持していないリレーノードＲＮを介して通信中の移動局ＵＥのハンドオーバ処理を実現することができる。
【手続補正８】
【補正対象書類名】明細書
【補正対象項目名】００７６
【補正方法】変更
【補正の内容】
【００７６】
また、Ｓ１-ＡＰ＃Ｂは、無線基地局ＤｅＮＢのＳ１-ＡＰレイヤ機能と交換局ＭＭＥのＳ１−ＡＰレイヤ機能との間で終端するように構成されている。
【手続補正９】
【補正対象書類名】明細書
【補正対象項目名】０１０３
【補正方法】変更
【補正の内容】
【０１０３】
本発明の第２の実施形態に係る移動通信システムによれば、移動局ＵＥのハンドオーバ処理において、無線基地局ＤｅＮＢが、リレーノードＲＮ＃１から受信した「Ｘ２-ＡＰ（ＵＥ）：Ｈａｎｄｏｖｅｒ  Ｒｅｑｕｅｓｔ」に応じて、リレーノードＲＮ＃２に対して、セキュリティ情報（Ｋ_ｅＮＢ＊及びＭＡＣ、或いは、Ｋ_ＲＲＣｉｎｔ及びＫ_ＲＲＣｅｎｃ）を通知することができるため、ＫｅＮＢを保持していないリレーノードＲＮを介して通信中の移動局ＵＥのハンドオーバ処理を実現することができる。
【手続補正１０】
【補正対象書類名】明細書
【補正対象項目名】０１４３
【補正方法】削除
【補正の内容】
【手続補正書】
【提出日】平成22年7月12日(2010.7.12)
【手続補正１】
【補正対象書類名】明細書
【補正対象項目名】０１０９
【補正方法】変更
【補正の内容】
【０１０９】
（本発明の第３の実施形態に係る移動通信システム）
図９乃至図１１を参照して、本発明の第３の実施形態に係る移動通信システムについて説明する。以下、本発明の第３の実施形態に係る移動通信システムについて、上述の第１の実施形態に係る移動通信システムとの相違点に着目して説明する。
【手続補正２】
【補正対象書類名】明細書
【補正対象項目名】０１２３
【補正方法】変更
【補正の内容】
【０１２３】
ステップＳ３０１０において、無線基地局ＤｅＮＢ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮではなく無線基地局ＤｅＮＢ＃２に転送されるようになる。
【手続補正３】
【補正対象書類名】明細書
【補正対象項目名】０１６２
【補正方法】変更
【補正の内容】
【０１６２】
ステップＳ４００５Ａにおいて、リレーノードＲＮ＃２は、「ＲＲＣ（ＵＥ）：Ｈａｎｄｏｖｅｒ  Ｒｅｑｕｅｓｔ」に含まれるＫ_ＲＲＣｉｎｔ及びＫ_ＲＲＣｅｎｃを保持する。
【手続補正４】
【補正対象書類名】明細書
【補正対象項目名】０１６３
【補正方法】変更
【補正の内容】
【０１６３】
ステップＳ４００６Ａにおいて、リレーノードＲＮ＃２は、無線基地局ＤｅＮＢに対して、「ＲＲＣ（ＵＥ）：Ｈａｎｄｏｖｅｒ  Ｒｅｑｕｅｓｔ  Ａｃｋ」を送信する。
【手続補正５】
【補正対象書類名】明細書
【補正対象項目名】０１６４
【補正方法】変更
【補正の内容】
【０１６４】
ステップＳ４００７Ａにおいて、無線基地局ＤｅＮＢは、リレーノードＲＮ＃１に対して、「ＲＲＣ（ＵＥ）：Ｈａｎｄｏｖｅｒ  Ｒｅｑｕｅｓｔ  Ａｃｋ」を送信する。
【手続補正６】
【補正対象書類名】明細書
【補正対象項目名】０１６５
【補正方法】変更
【補正の内容】
【０１６５】
ステップＳ４００８Ａにおいて、リレーノードＲＮ＃１は、移動局ＵＥに対して、「ＲＲＣ（ＵＥ）：Ｈａｎｄｏｖｅｒ  Ｃｏｍｍａｎｄ」を送信する。
【手続補正７】
【補正対象書類名】明細書
【補正対象項目名】０１６６
【補正方法】変更
【補正の内容】
【０１６６】
ステップＳ４００９Ａにおいて、移動局ＵＥは、リレーノードＲＮ＃２に対して、「ＲＲＣ（ＵＥ）：Ｈａｎｄｏｖｅｒ  Ｃｏｍｐｌｅｔｅ」を送信する。
【手続補正８】
【補正対象書類名】明細書
【補正対象項目名】０１６７
【補正方法】変更
【補正の内容】
【０１６７】
ステップＳ４０１０Ａにおいて、リレーノードＲＮ＃２と移動局ＵＥ用のゲートウェイ装置ＳＧＷ/ＰＧＷとの間で「Ｐａｔｈ  ｓｗｉｔｃｈ手順」が行われ、以降、下りデータ信号は、移動局ＵＥ用のゲートウェイ装置ＳＧＷ/ＰＧＷから、リレーノードＲＮ＃１ではなくリレーノードＲＮ＃２に転送されるようになる。
【手続補正９】
【補正対象書類名】明細書
【補正対象項目名】０１６８
【補正方法】変更
【補正の内容】
【０１６８】
ステップＳ４０１１Ａにおいて、リレーノードＲＮ＃２は、無線基地局ＤｅＮＢに対して、「ＲＲＣ（ＵＥ）：ＵＥ  Ｃｏｎｔｅｘｔ  ｒｅｌｅａｓｅ」を送信する。
【手続補正１０】
【補正対象書類名】明細書
【補正対象項目名】０１６９
【補正方法】変更
【補正の内容】
【０１６９】
ステップＳ４０１２Ａにおいて、無線基地局ＤｅＮＢは、リレーノードＲＮ＃１に対して、「ＲＲＣ（ＵＥ）：ＵＥ  Ｃｏｎｔｅｘｔ  ｒｅｌｅａｓｅ」を送信する。